(57)【特許請求の範囲】
【請求項１】
電気錠の錠箱内において、施解錠機構の駆動部材の作動方向に延在し、同方向に移動可能に案内されたロッキングボードと、このロッキングボードと交差する方向に移動可能に案内され、施解錠信号発生時、電磁アクチュエータに駆動されてロッキングボードと係合し、これを係止するロックピースと、ロッキングボードと重合する関係位置で同じ方向に移動可能に案内され、一端をばねを介してロッキングボードに係合させると共に、他端をリトラクターを介してハンドルやノブに連係させたリトラクター板と、このリトラクター板とロッキングボードとの間に挿設されてこれらの移動方向に延在し、基端をリトラクター板に回動自在に支承されると共に、自由端に鈎部を形成したフック体とを有し、このフック体及びロッキングボードの何れか一方に作動ピンを植設すると共に、他方に、その長さ方向に沿って、この作動ピンと係合するガイド溝を形成し、このガイド溝は、ロッキングボードとリトラクター板との相対移動の初期の段階において、フック体の自由端が施解錠機構の駆動部材と係合する方向に作動ピンを誘導する第１作動溝と、以降ロッキングボードとほぼ平行になる第２作動溝とを連設したことを特徴とする電気錠のクラッチ機構。
【発明の詳細な説明】
【０００１】
【発明の属する技術分野】
この発明は、電気錠の施解錠機構とノブやハンドル等の操作部材との連係を制御するクラッチ機構に係り、特に、その構造が簡単で作動が確実なクラッチ機構に関する。
【０００２】
【従来の技術】
所謂電気錠と称される錠前の施解錠操作は電気錠の型式により異なるが、テンキー装置を操作して施解錠信号が発生したとき、例えばマイクロモータがデッドボルトを駆動する等、電磁アクチュエータが積極的に錠止機構を制御する型式の電気錠がある。
【０００３】
一方、この発明のクラッチ機構を採用した電気錠のように、施解錠信号発生時、ノブやハンドルを操作すると施解錠機構が施錠と解錠を交互に行い、電磁アクチュエータは単にノブやハンドルと施解錠機構との連係を制御する、換言すればクラッチを制御する型式のものがあり、この型式の電気錠は電力の消費量が小さいのが特徴で近年多用されつつある。
【０００４】
この型式の電気錠として、例えば特開平９−２６４０８６号公報に記載されたものを挙げることができる。
【０００５】
この電気錠におけるクラッチ機構は、要するに、施解錠信号発生時電磁石の磁気吸引力により係止されるマグネットホルダ（４３）と、ばねを介してこのマグネットホルダ（４３）に連係され、ノブやハンドルによりマグネットホルダ（４３）を電磁石から引き離す方向に駆動されるリトラクタプレート（３２）とを有している。
【０００６】
そして、施解錠信号が発生しないときにはマグネットホルダ（４３）とリトラクタプレート（３２）とは一体に移動し、両者の間に相対的な動きが無いので、マグネットホルダ（４３）からフック体が施解錠機構側に出ない。
【０００７】
一方、施解錠信号が発生すると、マグネットホルダ（４３）が電磁石に係止され、リトラクタプレート（３２）のみが電磁石から離間する方向に移動する結果、マグネットホルダ（４３）とリトラクタプレート（３２）との間に相対的な動きが生じ、この動きを利用してフック体を施解錠機構に連係させて、以降リトラクタプレート（３２）の動きにより施解錠機構を制御するものである。
【０００８】
【発明が解決しようとする課題】
ところで、上記特開平９−２６４０８６号公報に記載されたクラッチ機構は、電磁石が直接マグネットホルダ（４３）を吸着する型式であり、リトラクタプレート（３２）がマグネットホルダ（４３）を電磁石から引き離す方向に作動するため、例えばハンドル操作時機構部に衝撃が加わったり、マグネットホルダ（４３）とリトラクタプレート（３２）との間に引っ掛かりが生じたりするとマグネットホルダ（４３）が電磁石から引き離されてしまうことになる。
【０００９】
そうすると、テンキー装置により暗証番号を入力して施解錠信号が発生しても施解錠ができない、という場合も考えられ、要するにこのクラッチ機構は作動の確実性という点において未だ改良の余地がある。
【００１０】
この発明は、上記従来のクラッチ機構の不都合を解消し、構造が簡単で作動が確実なクラッチ機構を提供することを目的としている。
【００１１】
【課題を解決するための手段】
上記の目的を達成するため、この発明は、施解錠機構の駆動部材の作動方向に延在し、同方向に移動可能に案内されたロッキングボードと、このロッキングボードと交差する方向に移動可能に案内され、施解錠信号発生時、電磁アクチュエータに駆動されてロッキングピボードと係合し、これを係止するロックピースと、ロッキングボードと重合する関係位置で同じ方向に移動可能に案内され、一端をばねを介してロッキングボードに係合させると共に、他端をリトラクターを介してハンドルやノブに連係させたリトラクター板と、このリトラクター板とロッキングボードとの間に挿設されてこれらの移動方向に延在し、基端をリトラクター板に回動自在に支承されると共に、自由端に鈎部を形成したフック体とを有し、このフック体及びロッキングボードの何れか一方に作動ピンを植設すると共に、他方に、その長さ方向に沿って、この作動ピンと係合するガイド溝を形成し、このガイド溝は、ロッキングボードとリトラクター板との相対移動の初期の段階において、フック体の自由端が施解錠機構の駆動部材と係合する方向に作動ピンを誘導する第１作動溝と、以降ロッキングボードとほぼ平行になる第２作動溝とを連設したことを特徴とする。
【００１２】
【発明の実施の形態】
以下図面を参照してこの発明について説明する。
図１で全体を１で示すクラッチ機構は、室内側に装着される内側エスカチオン２のほぼ中央に設けられた施解錠機構３と後述のリトラクター４との連係を制御するものである。
【００１３】
ちなみに、この内側エスカチオン２は、手前側を扉の内面自由側端縁部に接合させるようにして装着される。なお、実際には内側エスカチオン２の開口は蓋板によって覆われているが、図１においてはその図示を省略している。
【００１４】
この施解錠機構３とクラッチ機構１を組合わせた型式の電気錠は、室外側のテンキー装置を操作して暗証番号を入力し、その入力した暗証番号が予め電気錠に登録された暗証番号と一致したとき、施解錠信号が発生して電磁アクチュエータ５が通電される。
【００１５】
すると、クラッチ機構２が作動してそのフック体６が施解錠機構３の駆動部材としてのスライダ７の切欠８と係合する。
【００１６】
この状態で図示しないノブやハンドルを操作すると、断面方形の作動軸を介してこれらの操作部材に連結されたリトラクター４が図１で時計方向或いは反時計方向に回動する。
【００１７】
このリトラクター４の先端はリトラクター板９の折曲げ部に上方から当接しているので、リトラクター４の回動により、その先端が、リトラクターばね１０の弾力に抗して、フック体６と一体的にリトラクター板９を下降させる。
【００１８】
すると、フック体６が上記施解錠機構のスライダ７を下方に押動し、これと一体の駆動板１２が作動軸１３を例えば９０度回動駆動し、この作動軸に連結された錠箱内の錠止機構を解錠し或いは施錠する。
【００１９】
施解錠機構はスライダ７の移動毎に施錠操作と解錠操作とを交互に繰り返すように構成されているが、その構成はこの発明との要部ではないので詳細な説明は省略する。
【００２０】
この発明は、上記した電気錠の要部であるクラッチ機構１に関するもので、以下更に詳細に説明する。
【００２１】
図１において、符号１４はこのクラッチ機構の主要な構成部材であるロッキングボードを示し、このロッキングボード１４は、施解錠機構の駆動部材であるスライダ７の移動方向である上下方向に延在し、同方向に移動可能に案内されている。
【００２２】
図示の実施例におけるロッキングボード１４は、横断面が矩形の角棒であって図２及び図３に示すように、その上部内側面には後述のロックピースと係合する係合凹部１５が、中央部正面にはばね収納洞１６が夫々形成されている。
【００２３】
また、ロッキングボード１４の下端部正面には、前記フック体６（図１及び図３参照）を収容する浅い段部１７が形成されており、この浅い段部１７の底面には、全体の形状が例えば略逆Ｊ字形のガイド溝１８が形成されていて、このガイド溝１８の下端はロッキング１４の下端面に開口している。
【００２４】
上記ガイド溝１８は、その下方において上下方向に延在する第２作動溝２２と、この第２作動溝２２の上端において斜め外方（斜め右方）に傾斜する短い第１作動溝２１とを連設したものである。
【００２５】
一方、図１に示すように、ロッキングボードの係合凹部１５の左方には、ロックピース１９がロッキングボードと交差する左右方向に移動可能に案内されている。
【００２６】
このロックピース１９は、図４に示すように、係合凹部１９に係入する先端部を細くした直方体のブロック体であって、その中央部を厚さ方向に貫通するように細長いばね穴１９ａが開口している。
【００２７】
そして、図１に示すように、このロックピース１９の上方に配設されたマイクロモータとしての電磁アクチュエータ５の出力軸には疎巻コイルばねが巻装されていて、この疎巻コイルばね２３の両端は相互に平行な状態で延伸され、上記ロックピースのばね穴１９ａと係合している。
【００２８】
一方、電磁アクチュエータ５の出力軸の外周面には駆動ピン２４が突設されていて、この駆動ピン２４は上記疎巻コイルばね２３と係合している。
【００２９】
その為、電磁アクチュエータ５が回転すると、駆動ピン２４は疎巻コイルばね２３を出力軸の軸線方向、すなわち図１において左右方向に駆動し、その先端部を介してロックピース１９を左右方向に駆動する。
【００３０】
なお、この発明における電磁アクチュエータとして上記の構成を採らず、例えばラッチングソレノイドのプランジャを直接ロックピースとして採用することができる。
【００３１】
他方、図１及び図３に示すように、前記ロッキングボード１４と重合する関係位置で、リトラクター板９が上下方向に移動可能に案内されており、リトラクターばね１１、１１の弾力により上方に付勢されている。
【００３２】
このリトラクター板９のロッキングボード１４と重合する上端部先端はロッキングボード１４側に折り曲げられ、前記ばね収納洞１６内に係入している。
【００３３】
このばね収納洞１６内には圧縮コイルばねとしてのばね２５が収納され、その上端をリトラクター板９の上端折曲げ部に、下端をばね収納洞１６の下面に夫々当接させている。
【００３４】
上記した構成により、リトラクター板９が上昇するときには直接ロッキングボード１４を持上げるように押動するが、下降するときには、ばね２５を介してロッキングボード１４を押し下げるように作動する。
【００３５】
一方、図１及び図３に示すように、ロッキングボード１４とリトラクター板９との間には、前者に形成された浅い段部１７に収容される、という形態でフック体６が挿設されている。
【００３６】
このフック体６は、基端部（下端部）外面に塑性加工により突設された支軸ピン２６をリトラクター板９に回動可能に支承させており、自由端（上端）には鈎部が形成されている。
【００３７】
また、フック体６の支軸ピン２６の上方における内面には作動ピン２７が突設されており、この作動ピン２７は前記ガイド溝１８と係合している。
【００３８】
上記した構成のこの発明によるクラッチ機構は、施解錠信号が発生せず、かつドアのノブやハンドルを操作しない常態においては、図１に示すように、ロックピース１９がロッキングボードの係合凹部１５から外れているのでロッキングボード１４は自由な状態にある。
【００３９】
また、支軸ピン２６との係合を介してリトラクター板９がフック体６を押上げており、フック体に植設されて作動ピン２７はガイド溝１８の上端、すなわち第１作動溝２１（図２参照）の上端開口縁に弾接している。
【００４０】
その為、フック体６の自由端に形成された鈎部はほぼロッキングボード１４と重合する角度位置にあって施解錠機構のスライダの切欠８の移動軌跡外にある。
【００４１】
この状態でハンドルを操作すると、前記したようにリトラクター４がリトラクター板９を押し下げるが、ばね２５を介してロッキングボード１４も押し下げられ、両者が一体に下降する結果フック体６も図１に示す角度位置を保った儘下降する。
【００４２】
このときには施解錠機構のスライダ７は不動であるから、ハンドルが空回りするだけで施錠も解錠もできない。
【００４３】
施解錠信号が発生すると、電磁アクチュエータ５が通電され、マイクロモータが所定の方向に回動してロックピース１９がロッキングボードの係合凹部１５に投入され、その結果ロッキングボード１４は錠箱内に固定される。
【００４４】
この状態でハンドルを操作すると、図５に示すように、リトラクター板９はロッキングボード１４を常態位置に残して、ばね２５を押し縮めつつ単独で下降する。
【００４５】
すると、ロッキング１４とリトラクター板９との間に相対変移が生じ、リトラクター板９と一体的にフック体６も下降する結果、その作動ピン２７が第１作動溝２１中を斜め左下方に摺動し、フック体６の鈎部が左方に移動して施解錠機構のスライダの切欠８と係合する。
【００４６】
更にハンドルを回すと、図６に示すように、リトラクター板９は最大下降位置に到達し、このとき迄には一体的に下降する施解錠機構のスライダ７が錠箱内の錠止機構を施錠し或いは解錠する。
【００４７】
ハンドル操作後ハンドルから手を放すと、リトラクター４及びリトラクター板９はリトラクターばね１１（図１参照）の弾力により、スライダ７はスライダばね２８の弾力により夫々上昇して元の常態位置に復帰する。
【００４８】
なお、図示の実施例では支軸ピン２９をフック体６側に突設し、これをリトラクター板９側のピン孔に支承させるようにしたが、これはリトラクター板９の内面に支軸ピンを突設し、ピン孔をフック体側に形成してもよい。
【００４９】
また、図示の実施例とは反対に、ロッキングボード１４の浅い段部１７側に作動ピン２７を突設し、ガイド溝１８をフック体６に形成してもよい。
【００５０】
【発明の効果】
以上の説明から明らかなように、この発明は、施解錠信号発生時ロッキングボードを係止するロックピースをロッキングボードと交差する方向から係合させるようにしたので、クラッチ機構に衝撃が加わっても、またロッキングボードとリトラクター板との間の相対移動時引っ掛かり等があっても、ロッキングが動いてしまうことがなく、その作動が確実である。
【００５１】
また、全体として構造が簡単で信頼性がある、等種々の効果を奏する。
【図面の簡単な説明】
【図１】この発明の一実施例によるクラッチ機構を採用した電気錠の主要部を示す正面図。
【図２】ロッキングボード単体の正面図。
【図３】クラッチ機構の一部断面側面図。
【図４】ロックピースの外観斜視図。
【図５】クラッチ機構の作動を説明するための線図で、ロッキングボードとリトラクター板との相対移動の初期の段階を示す。
【図６】クラッチ機構の作動を説明するための線図で、ロッキングボードとリトラクター板との相対移動の終わりの段階を示す。
【符号の説明】
１  クラッチ機構
３  施解錠機構
４  リトラクター
５  電磁アクチュエータ
６  フック体
７  スライダ
８  切欠
９  リトラクター板
１１  リトラクターばね
１４  ロッキングボード
１５  係合凹部
１６  ばね収納洞
１７  浅い段部
１８  ガイド溝
１９  ロックピース
２１  第１作動溝
２２  第２作動溝
２５  ばね
２６  支軸ピン
２７  作動ピン
【図１】
0004096398.tif 000002
【図２】
0004096398.tif 000003
【図３】
0004096398.tif 000004
【図４】
0004096398.tif 000005
【図５】
0004096398.tif 000006
【図６】
0004096398.tif 000007